(57)【要約】【目的】ディジタル放送波以外からも情報を取得して放送受信装置による情報提供を可能とする情報配信システムを提供する。【構成】ＩＣカード２１Ａは、有料放送を視聴可能にするための鍵情報などをそのメモリに格納するものであるが、更に、定期券情報をも格納しており、このＩＣカード２１Ａを用いて改札機４０を通過することができる。改札機４０は、ネットワーク４２を通じてサーバ４３に接続されており、サーバ４３から配信情報を受け取っている。ＩＣカード２１Ａを用いて改札機４０を通過するとき、配信データが改札機４０からＩＣカード２１Ａに与えられる。ＩＣカード２１Ａを受信装置３０にセットすると、前記配信データの提示が行われる。【選択図】　　図１
2004032519.tif 000002
【特許請求の範囲】
【請求項１】
券検査装置は券としての機能を持つ情報記録カードに記録された情報を読み出して券検査処理を行うとともに配信データを情報記録カードに記録し、放送受信装置は情報記録カードに記録された配信データを読み出し、前記配信データの提示及び／又は配信データに基づいた放送受信を行うように構成されたことを特徴とする情報配信システム。
【請求項２】
請求項１に記載の情報配信システムにおいて、券検査装置はネットワークを介して配信データを取得するように構成されたことを特徴とする情報配信システム。
【請求項３】
請求項１又は請求項２に記載の情報配信システムにおいて、放送受信装置はユーザが設定した選択条件を前記情報記録カードに記録し、券検査装置は前記選択条件に基づき選択した配信データを前記情報記録カードに記録するように構成されたことを特徴とする情報配信システム。
【請求項４】
放送受信装置の限定受信システムに用いられると共に券検査装置に対して券としての情報を提供するように構成され、且つ、券検査装置から配信データを取得する手段、及び放送受信装置に配信データを提供する手段を備えたことを特徴とする情報記録カード。
【請求項５】
請求項４に記載の情報記録カードにおいて、ユーザが設定した選択条件を放送受信装置から取得する手段、及び選択条件を券検査装置に提供する手段を備えたことを特徴とする情報記録カード。
【発明の詳細な説明】
【０００１】
【産業上の利用分野】
この発明は、券としての機能を有する情報記録カード及びこれを用いた情報配信システムに関する。
【０００２】
一般に、電車での通勤や通学には定期券が用いられている。利用者は乗車区間や利用期間を指定して例えば駅で定期券を購入する。利用者は、乗車区間内ではわざわざ切符を購入することなく、定期券を自動改札機に通すだけで電車に乗ることができる。従来、定期券は磁気カードで作られていたが、近年ＩＣカードを用いた定期券が開発されている。これにより、利用者は改札機の読み取り部にＩＣカードを例えば近接させるだけで改札を通過することができるようになる。また、券は、電車の定期券に限らず、劇場やスタジアムの入場券、或いは会員券などとして生活のさまざまな場面で活用されている。
【０００３】
一方、ＣＳディジタル放送などでは、限定受信システム（Ｃｏｎｄｉｔｉｏｎａｌ　Ａｃｃｅｓｓ　Ｓｙｓｔｅｍ）が採用されており、放送受信装置はＩＣカードから有料放送を視聴可能にするための鍵情報を受け取る。また、ＰＰＶ（Ｐａｙ　Ｐｅｒ　Ｖｉｅｗ）番組を購入したときには、ＩＣカードに番組購入情報が記録され、一般に毎月の一定の日時に電話回線を通じて番組購入情報が課金情報収集センターに送信され、購入量に応じた請求が利用者に対してなされる。また、この電話回線を利用して、クイズやアンケートなどの双方向データサービスや、テレビ画面から商品を注文したり決済を行うオンラインショッピングも行うことができる。
【０００４】
【発明が解決しようとする課題】
ところで、ディジタル放送では、従来のアナログ放送と同様に映像や音声を送信することに加え、番組情報などの付属情報、所定機種宛のソフトウェア更新情報、個別受信装置宛のメール情報等の他の情報も送信可能になっている。しかしながら、上記他の情報が増えつつある一方で、当該他の情報に割り当てることができる容量には限りがあり、例えば利用者の好みに合わせた番組情報やＸＭＬファイル等を個別に電波に載せて送信することは困難である。
【０００５】
この発明は、上記の事情に鑑み、ディジタル放送波以外からも情報を取得して放送受信装置による情報提供を可能とする情報配信システム及び情報記録カードを提供することを目的とする。
【０００６】
【課題を解決するための手段】
この発明の情報配信システムは、上記の課題を解決するために、券検査装置は券としての機能を持つ情報記録カードに記録された情報を読み出して券検査処理を行うとともに配信データを情報記録カードに記録し、放送受信装置は情報記録カードに記録された配信データを読み出し、前記配信データの提示及び／又は配信データに基づいた放送受信を行うように構成されたことを特徴とする。
【０００７】
上記構成であれば、情報記録カードに例えば定期券としての機能を持つ場合には、券検査装置となる駅の改札機において定期券として用いることができ、この情報記録カードを前記改札機にかざすなどしたときに、情報記録カードに改札機から与えられた配信データが記録されることになる。そして、放送受信装置においては、情報記録カードから配信データを読み出して、配信データの提示及び／又は配信データに基づいた放送受信を行う。すなわち、ディジタル放送波以外から、例えば、前記駅の周辺の店の広告を成すＸＭＬファイル等を取得して放送受信装置において画面提示したり、前記駅の周辺の店がテレビ番組で紹介される場合におけるその番組を受信するための情報を取得して放送受信装置において番組画面提示を行ったりすることができる。
【０００８】
券検査装置はネットワークを介して配信データを取得するように構成されているのがよい。また、放送受信装置はユーザが設定した選択条件を前記情報記録カードに記録し、券検査装置は前記選択条件に基づき選択した配信データを前記情報記録カードに記録するように構成されているのがよい。前記選択条件としてはユーザのお気に入りのジャンルやキーワード等の嗜好情報、性別や年齢などの属性情報などがあり、かかる選択条件によって数多くの配信データのなかからユーザごとの適切な情報を選択して情報記録カードに記録することになる。
【０００９】
また、この発明の情報記録カードは、放送受信装置の限定受信システムに用いられると共に券検査装置に対して券としての情報を提供するように構成され、且つ、券検査装置から配信データを取得する手段、及び放送受信装置に配信データを提供する手段を備えたことを特徴とする。そして、かかる情報記録カードにおいて、ユーザが設定した選択条件を放送受信装置から取得する手段、及び選択条件を券検査装置に提供する手段を備えているのがよい。
【００１０】
【発明の実施の形態】
以下、この発明の実施形態を図１乃至図６に基づいて説明するが、ここでは利用者はＣＳ（Ｃｏｍｍｕｎｉｃａｔｉｏｎ　Ｓａｔｅｌｌｉｔｅ）ディジタル放送を受信し、券検査装置が駅の改札機である場合を例示している。図１はこの実施形態の情報配信システムを示した説明図であり、図２は改札機４０のデータ取得処理を説明したフローチャートであり、図３はディジタル放送受信装置３０を示したブロック図であり、図４は選択条件設定画面を例示した説明図であり、図５は改札機４０のデータ配信処理を説明したフローチャートであり、図６は受信装置３０による配信データ処理内容を説明したフローチャートである。
【００１１】
図１において、利用者は、定期券情報が記録されたＩＣカード２１Ａを改札機４０に備えられた読み取り部４１に例えば近接させることで改札を通過することができる。改札機４０は、ネットワーク４２を通じてサーバ４３に接続されている。サーバ４３には、広告情報や番組情報などの多く情報が蓄積されている。サーバ４３を利用することを望む者（広告主等）は、例えば、利用者会員登録を行い、前記サーバ４３にアクセスし、店舗所在地情報やＸＭＬファイル形式の広告内容をサーバ４３に与えたり、また、見てもらいたい番組を受信するための番組情報（ＰＳＩ／ＳＩに相当する情報）やその視聴対象者を選定する情報（属性情報、嗜好情報等）をサーバ４３に与えておく。改札機４０がサーバ４３に接続したときに、例えば、その設置地域を示すコード等をサーバ４３に与えると、サーバ４３は前記コードに基づいて当該地域用に選択した配信データ（前記ＸＭＬファイル形式の広告内容等）及び地域に限定されない一般的な配信データを改札機４０に与える。
【００１２】
図２は、改札機４０によるデータ取得処理を簡略的に示したフローチャートである。例えば、改札機４０が所定時刻にサーバ４３に接続して配信データを受け取る構成とした場合、改札機４０は接続時刻であるかどうかを判断し（ステップＳ１）、接続時刻である場合にはネットワーク４２を介してサーバ４３に接続する（ステップＳ２）。そして、受信すべき配信データ（例えば、新たにサーバ４３に蓄積された情報など）があるかどうかを判断する（ステップＳ３）。受信すべき配信データがサーバ４３にない場合には、ステップＳ５に進みサーバ４３との接続を解除する。受信すべき配信データがある場合には、サーバ４３から配信データを取得して、改札機４０に備えられた図示しないメモリに格納する（ステップＳ４）。そして、サーバ４３との接続を解除する（ステップＳ５）。
【００１３】
次に、図３に基づきディジタル放送受信装置３０を説明していく。アンテナ１は、屋外において所定の方向に向けて配置されており、ＣＳから送られてくるディジタル放送信号を受信する。このアンテナ１は、一般に周波数変換器を備え、受信／周波数変換した信号をチューナ２に与える。
【００１４】
チューナ２は、映像・音声データを含む高周波ディジタル変調信号のうちから特定周波数の信号を取り出す。すなわち、ディジタル放送の複数のトランスポンダのなかから一つを選択する処理を行う。また、チューナ２は、復調回路、逆インタリーブ回路、誤り訂正回路などを備えることにより、選択したディジタル変調信号を復調してトランスポート・ストリームを出力する。
【００１５】
デスクランブラ３は、有料放送において行われるスクランブルをＩＣカード２１Ａに組み込まれている鍵情報によって解除する処理を行う。また、このデスクランブラ３は、デマルチプレクス処理部（ＤＥＭＵＸ）を有しており、トランスポート・ストリームを、ＭＰＥＧ２（Ｍｏｖｉｎｇ　Ｐｉｃｔｕｒｅ　Ｅｘｐｅｒｔｓ　Ｇｒｏｕｐｅ２）のビデオストリーム、オーディオストリーム、及びＰＳＩ／ＳＩ（Ｐｒｏｇｒａｍ　Ｓｐｅｃｉｆｉｃ　Ｉｎｆｏｒｍａｔｉｏｎ／Ｓｅｒｖｉｃｅ　Ｉｎｆｏｒｍａｔｉｏｎ）に分離する。デマルチプレクス処理部は、ビデオストリームとオーディオストリームをＡＶデコーダ４に供給し、ＰＳＩ／ＳＩをＣＰＵ１３に供給する。なお、トランスポート・ストリームには複数のチャンネルが多重化されており、このなかから任意のチャンネルを選択するための処理は、前記ＰＳＩ／ＳＩから任意のチャンネルがトランスポート・ストリーム中でどのパケットＩＤで多重化されているかといったデータを取り出すことで可能となる。また、トランスポート・ストリームの選定（トランスポンダの選定）もＰＳＩ／ＳＩの情報に基づいて行うことができる。
【００１６】
ＡＶデコーダ４は、ビデオストリームに対してデコードを行うビデオデコーダ、及びオーディオストリームに対してデコードを行うオーディオデコーダを備える。ビデオデコーダは、入力された可変長符号を復号して量子化係数や動きベクトルを求め、逆ＤＣＴ変換や動きベクトルに基づく動き補償制御などを行う。オーディオデコーダは、入力された符号化信号を復号して音声データを生成する。デコードにより生成された映像データは映像処理回路５に出力され、音声データは音声処理回路６に出力される。
【００１７】
映像処理回路５は、ＡＶデコーダ４から映像データを受け取ってＤ／Ａ変換を行い、例えばコンポジット映像信号に変換する。音声信号処理回路６は、ＡＶデコーダ４から出力された音声データを受け取ってＤ／Ａ変換を行い、例えば右（Ｒ）音のアナログ信号及び左（Ｌ）音のアナログ信号を生成する。
【００１８】
映像出力回路７及び音声出力回路８は出力抵抗や増幅器等を備えて成る。ＡＶ出力端子９には出力部（左右音声出力端子等や映像出力端子等のセット）が設けられており、この出力部には、映像／音声コード１７によって受像管１６ａ及びスピーカ１６ｂを備えるモニタ１６が接続される。
【００１９】
ＯＳＤ（オンスクリーンディスプレイ）回路１２は、ＣＰＵ１３から出力指示された文字情報や色情報に基づく映像データを生成して加算器２０に出力する。加算器２０は前記映像データをＡＶデコーダ４から出力される受信映像データに組み込む処理を行う。
【００２０】
リモコン送信機１０は、当該放送受信装置３０に指令を送出するための送信機である。このリモコン送信機１０に設けられた図示しないキーを操作すると、そのキーに対応した指令を意味する信号光（リモコン信号）が図示しない発光部から送出される。リモコン受光器１１は、前記信号光を受光し、これを電気信号に変換してＣＰＵ１３に与える。
【００２１】
メモリ（例えば、ＥＥＰＲＯＭ等）１４には、番組情報（番組名、番組詳細、番組開始時間、番組終了時間等）や利用者による設定情報、またＩＣカード２１Ａから読み取った配信データなどが格納される。
【００２２】
モデム２２は、例えば有料放送の課金情報、双方向データサービスにおける送信データ、テレビ画面からのオンラインショッピングにおける商品の注文内容や決済情報などを伝送する際のダイヤルアップ接続においてＣＰＵ１３の制御の下で動作する。
【００２３】
ＩＣカード２１Ａは、有料放送を視聴可能にするための鍵情報や番組毎に課金対象となるＰＰＶ番組の購入履歴情報などをその内蔵メモリに格納する。また、特にこの発明にかかる情報として、選択条件（利用者の属性情報や嗜好情報等）や前述の定期券情報なども前記メモリに格納するようになっている。なお定期券情報は、例えば駅の窓口において乗車区間や利用期間を指定して料金を支払い、定期券を受け取る代わりにＩＣカード２１Ａに定期券情報を記録することとすればよい。また、受信装置３０の双方向通信を用いたオンラインショッピングの形式により定期券を購入できることとし、受信装置３０において定期券情報をＩＣカード２１Ａに記録できる構成としてもよい。ＣＡモジュール２１は、ＣＰＵ１３とＩＣカード２１Ａとの間で諸情報の書込み処理や読出し処理を行う。ＩＣカード２１Ａは、端子によってＣＡモジュール２１に電気的に接触して（有線で）情報をやり取りするが、この実施形態では改札機４０との間での情報通信を有線ではなく、電波等による無線によって行うこととしており、無線送受信機能を備えるものとする。
【００２４】
ＣＰＵ１３は、リモコン送信機１０などを用いた利用者による選局操作に対する処理やメニュー設定といった処理等を行う。そして、この発明にかかる処理の一つとして、配信データを選択するための選択条件をＩＣカード２１Ａに記録するようになっている。利用者は、ＩＣカード２１Ａを受信装置３０に挿入し、例えばメニュー画面（図示せず）から「配信データの選択設定」の項目を選択する。図４は、このとき表示される画面を例示した説明図である。画面上には、例えば、属性情報項目として、男女の別や年齢等のチェック項目が設けられており、また、嗜好情報項目として、「映画」、「スポーツ」、「文化」、「芸能」といったジャンルチェック項目が表示される。利用者は、例えばリモコン送信機１０の上下左右キーを操作して該当項目を一つ又は複数選択し、決定キーを押下して項目の選択を確定する。また、ここでは利用者がジャンルを選択をすることとしたが、リモコン送信機１０を用いて、例えば「サッカー」といった任意のキーワードを入力する構成としてもよい。ＣＰＵ１３は、上記属性情報や嗜好情報をＣＡモジュール２１を介してＩＣカード２１Ａに与え、ＩＣカード２１Ａは上記属性情報や嗜好情報を受け取り、選択条件として管理する。
【００２５】
図５は、利用者がＩＣカード２１Ａを用いて改札を通過する場合の改札機４０によるデータ配信処理を説明したフローチャートである。利用者は、例えば図１のごとく改札機４０の読み取り部４１にＩＣカード２１Ａを近接させる（ステップＳ１１）。改札機４０は、ＩＣカード２１Ａに記録された定期券情報を読み取り、乗車区間や利用期間といった情報を検査するなどの処理を行う（ステップＳ１２）。そして、改札機４０は、例えば利用者全体に提供したい一般的な情報や利用者の選択条件に基づいて選択した配信データ、また沿線の情報などをＩＣカード２１Ａに記録することになる（ステップＳ１３）。
【００２６】
図６は、配信データが記録されたＩＣカード２１Ａを受信装置３０に装填した場合の受信装置３０による配信データ処理を説明したフローチャートである。利用者が駅の改札を通過するのに用いたＩＣカード２１Ａを受信装置３０に挿入すると（ステップＳ２１）、ＣＰＵ１３はＩＣカード２１Ａに配信データが記録されているかどうかを判断し（ステップＳ２２）、配信データがある場合にはメモリ１４に格納する（ステップＳ２３）。そして、例えばメニュー画面に設けられた「配信データ表示」の項目を利用者が選択した場合には（ステップＳ２４でＹＥＳ）、配信データを受信装置３０の画面に表示するなどして配信データの提示を行う（ステップＳ２５）。なお、ステップＳ２２において配信データがあると判断された場合には、利用者の配信データ提示要求を待たずに受信装置３０の画面に「配信データがあります。視聴しますか。」といったメッセージを表示し、利用者に「ＹＥＳ／ＮＯ」を選択させることとしてもよい。また、受信装置３０による配信データ提示は、配信データがＸＭＬファイルであれば、ブラウザを用いて画面表示処理を行えばよく、また、配信データが番組情報であれば、当該番組情報を用いた受信処理或いは受信予約処理を行えばよい。
【００２７】
なお、上記の例では、ＩＣカード２１Ａが定期券として機能する場合を示したが、これに限るものではない。例えば、ＩＣカード２１Ａを劇場やスタジアムの入場券、或いは会員券などとして機能させることも可能であり、前記劇場、スタジアム、店舗、会員施設等に置かれた券検査装置にＩＣカード２１Ａを装填したとき、前記劇場や店舗等の広告を成すＸＭＬファイル等を券検査装置から取得して放送受信装置３０による情報提供を可能とすることができる。また、劇場等の利用特典として、或る有料番組を無料で視聴させることとする場合、券検査装置からＩＣカード２１Ａに付属的な視聴契約情報を書き込むこことすればよい。
【００２８】
【発明の効果】
以上説明したように、この発明によれば、情報記録カードの情報授受機能やメモリ機能を利用してディジタル放送波以外からも情報を取得して放送受信装置による情報提供を可能とすることができる。
【図面の簡単な説明】
【図１】この実施形態の情報配信システムを例示した説明図である。
【図２】改札機のデータ取得処理を説明したフローチャートである。
【図３】この実施形態のディジタル放送受信装置を示したブロック図である。
【図４】選択条件の入力画面を例示した説明図である。
【図５】改札機のデータ配信処理を説明したフローチャートである。
【図６】受信装置による配信データ処理内容を説明したフローチャートである。
【符号の説明】
１　　　アンテナ
２　　　チューナ
３　　　デスクランブラ
４　　　ＡＶデコーダ
１０　　リモコン送信機
１３　　ＣＰＵ
１４　　メモリ
２１　　ＣＡモジュール
２１Ａ　ＩＣカード
２２　　モデム
４０　　改札機
４１　　読み取り部
４２　　ネットワーク
４３　　サーバ
【図１】
2004032519.tif 000003
【図２】
2004032519.tif 000004
【図３】
2004032519.tif 000005
【図４】
2004032519.tif 000006
【図５】
2004032519.tif 000007
【図６】
2004032519.tif 000008